(57)【特許請求の範囲】
【請求項１】
１画面上に複数の画像を表示するための画像信号を生成する画像信号処理装置において、
前記複数の画像のうちの１つの画像を表す画像信号が入力されるとともに、該画像信号に対して、前記画像の前記画面上での画像表示領域に応じた拡大率又は縮小率でスケーリングを施すスケーリング回路と、
前記複数のスケーリング回路でスケーリングが施された複数の画像信号を合成することによって、前記複数の画像が合成された１画面上の画像を表す１つの画像信号を生成する合成回路と、
前記合成された１画面上の画像における主要な画像を認識すると共に、前記合成回路で生成された画像信号に対し、前記スケーリング回路での拡大率が大きいほど該画像信号の高周波成分を強調し、縮小率が大きいほど該画像信号の高周波成分を低減するような補正処理を行う補正処理回路と、を有し、
前記補正処理回路は、前記合成された１画面上の画像における主要な画像に対して施された拡大率又は縮小率に基づいて、前記１画面上の画像全体に対する補正処理を行うことを特徴とする画像信号処理装置。
【請求項２】
１画面上に複数の画像を表示するための画像信号を生成する画像信号処理装置において、
前記複数の画像のうちの１つの画像を表す画像信号、及び該画像信号が表示される画像表示領域の座標位置と面積が入力されるとともに、該画像信号に対して、前記画像の前記画面上での画像表示領域に応じた拡大率又は縮小率でスケーリングを施すスケーリング回路と、
前記複数のスケーリング回路により異なるスケーリングが施された複数の画像信号を合成することによって、前記複数の画像が合成された１画面上の画像を表す１つの画像信号を生成する合成回路と、
前記合成された１画面上の画像における各画像を、前記スケーリング回路に入力された画像表示領域の座標位置と面積に基づいて認識すると共に、前記合成回路で生成された画像信号に対し、前記スケーリング回路での拡大率が大きいほど該画像信号の高周波成分を強調し、縮小率が大きいほど該画像信号の高周波成分を低減するような補正処理を行う補正処理回路と、を有し、
前記補正処理回路は、前記合成された１画面上の画像における各画像に対して施された拡大率又は縮小率に基づいて、各画像表示領域に対する補正処理を行うことを特徴とする画像信号処理装置。
【発明の詳細な説明】
【０００１】
【発明の属する技術分野】
本発明は、複数の画像を同一画面上に同時に表示するディスプレイなどの画像表示装置に表示するために、複数の画像を表す画像信号を１つ画像信号に合成する画像信号処理装置に関するもので、特に、鮮鋭化処理や平滑化処理などの補正処理が施される画像信号処理装置に関する。
【０００２】
【従来の技術】
従来より、１画面上に複数の画像を表示するようなマルチ画面表示システムを有する画像表示装置が提供されている。このようなマルチ画面表示システムにおいて、複数の画像信号それぞれに対して、それぞれが表示される画面領域に応じた拡大率で拡大及び縮小処理（スケーリング処理）を行う。このようにして、各画面領域に応じた画像信号が生成されるため、これらの画像信号が再生されることによって、複数の画像を同一画面上に同時に表示することができる。
【０００３】
【発明が解決しようとする課題】
このようなマルチ画面表示システムが設けられた画像表示装置においては、それぞれ異なる拡大率でスケーリング処理が施された複数の画像信号を同一画面上に表示するために合成した後、この合成された画像信号に対して工場出荷時などに予め設定された補正処理を施すための画像信号処理装置が設けられる。しかしながら、この補正処理は画像の拡大率によって適正な処理が異なるため、このように予め設定された補正処理を合成された画像信号に施したとき、この補正処理が適正なものでない場合がある。
【０００４】
即ち、一般的に、画像信号に拡大処理が施される際、再生された画像の輪郭部分を強調するために、高周波成分を強調するエッジ強調処理が施される方がよい。又、画像信号に縮小処理が施される際、このようなエッジ強調が施されると再生画像にガタツキなどが生じるため、逆に、高周波成分を低減して、画像信号を平滑化した方がよい。
【０００５】
このような問題を鑑みて、本発明は、表示される画像に適した補正処理を選択することのできる画像信号処理装置及びこの画像信号処理装置を提供することを目的とする。
【０００６】
【課題を解決するための手段】
上記目的を達成するために、請求項１に記載の画像信号処理装置は、１画面上に複数の画像を表示するための画像信号を生成する画像信号処理装置において、前記複数の画像のうちの１つの画像を表す画像信号が入力されるとともに、該画像信号に対して、前記画像の前記画面上での画像表示領域に応じた拡大率又は縮小率でスケーリングを施すスケーリング回路と、前記複数のスケーリング回路でスケーリングが施された複数の画像信号を合成することによって、前記複数の画像が合成された１画面上の画像を表す１つの画像信号を生成する合成回路と、前記合成された１画面上の画像における主要な画像を認識すると共に、前記合成回路で生成された画像信号に対し、前記スケーリング回路での拡大率が大きいほど該画像信号の高周波成分を強調し、縮小率が大きいほど該画像信号の高周波成分を低減するような補正処理を行う補正処理回路と、を有し、前記補正処理回路は、前記合成された１画面上の画像における主要な画像に対して施された拡大率又は縮小率に基づいて、前記１画面上の画像全体に対する補正処理を行うことを特徴とする。
【００１０】
このような画像信号処理装置では、１画面上に表示される複数の画像を表す画像信号が入力されるとき、各画像信号毎に、その画像信号が与えられるスケーリング回路でスケーリングが施された後、一旦、合成回路で１画面上に表示するための画像信号に合成される。このように合成回路で合成された画像信号に対して、主要な画像表示領域における画像信号がスケーリング回路で施された拡大率に応じた補正処理が施される。よって、合成された画像において、主要な画像表示領域の画像に最適な補正処理が施されるため、高精細な画像が表示される。尚、このとき、主要となる画像表示領域は、その面積が最大となるものとしても構わないし、又は、画面上の最上面に表示されるものとしても構わないし、又は、画面の中央に位置するものとしても構わない。また、スケーリング回路での拡大率が大きいほど合成回路で生成された画像信号の高周波成分を強調する補正処理を行うことで拡大された画像の輪郭を強調することができる。また、縮小率が大きいほど合成回路で生成された画像信号の高周波成分を低減する処理を行うことで縮小された画像のガタツキを抑制することができる。
【００１２】
請求項２に記載の画像信号処理装置は、１画面上に複数の画像を表示するための画像信号を生成する画像信号処理装置において、前記複数の画像のうちの１つの画像を表す画像信号、及び該画像信号が表示される画像表示領域の座標位置と面積が入力されるとともに、該画像信号に対して、前記画像の前記画面上での画像表示領域に応じた拡大率又は縮小率でスケーリングを施すスケーリング回路と、前記複数のスケーリング回路により異なるスケーリングが施された複数の画像信号を合成することによって、前記複数の画像が合成された１画面上の画像を表す１つの画像信号を生成する合成回路と、前記合成された１画面上の画像における各画像を、前記スケーリング回路に入力された画像表示領域の座標位置と面積に基づいて認識すると共に、前記合成回路で生成された画像信号に対し、前記スケーリング回路での拡大率が大きいほど該画像信号の高周波成分を強調し、縮小率が大きいほど該画像信号の高周波成分を低減するような補正処理を行う補正処理回路と、を有し、前記補正処理回路は、前記合成された１画面上の画像における各画像に対して施された拡大率又は縮小率に基づいて、各画像表示領域に対する補正処理を行うことを特徴とする。
【００１３】
このような画像信号処理装置では、１画面上に表示される複数の画像を表す画像信号が入力されるとき、各画像信号毎に、その画像信号が与えられるスケーリング回路でスケーリングが施された後、一旦、合成回路で１画面上に表示するための画像信号に合成される。このように合成回路で合成された画像信号が補正処理回路に送出されると、各画像表領域毎に、その画像表示領域における画像信号に対してスケーリング回路で施された拡大率に応じた補正処理が施される。よって、合成された画像において、各画像表示領域の画像に最適な補正処理が施されるため、高精細な画像が表示される。また、スケーリング回路での拡大率が大きいほど合成回路で生成された画像信号の高周波成分を強調する補正処理を行うことで拡大された画像の輪郭を強調することができる。また、縮小率が大きいほど合成回路で生成された画像信号の高周波成分を低減する処理を行うことで縮小された画像のガタツキを抑制することができる。
【００１５】
【発明の実施の形態】
＜第１の実施形態＞
本発明の第１の実施形態について、図面を参照して説明する。図１は、本実施形態の画像信号処理装置の内部構成を示すブロック図である。
【００１６】
図１の画像信号処理装置は、入力される画像信号にスケーリング処理を施すスケーリング回路１−１〜１−ｎと、スケーリング回路１−１〜１−ｎでスケーリング処理が施された各画像信号に補正処理を施す画像補正回路２−１〜２−ｎと、画像補正回路２−１〜２−ｎで補正処理が施された画像信号を合成して同一画面上に再生されるための１つの画像信号を生成する合成回路３とを有する。
【００１７】
この画像信号処理装置は、まず、スケーリング回路１−１〜１−ｎのそれぞれに、ｎ種類の画像信号が入力されるとともに、各画像信号の表示される画像表示領域に関するパラメータが入力される。この画像信号とともに入力されるパラメータとは、その画像信号によって再生表示される画像の画像表示領域の座標位置及び面積である。
【００１８】
即ち、３種類の画像信号が入力されるとともに、図２のように、各画像信号で再生表示される画像Ａ，Ｂ，Ｃがそれぞれ、画像表示領域ａ，ｂ，ｃに再生表示されるとき、画像Ａの画像信号とともに画像表示領域ａの座標位置及び面積がスケーリング回路１−１に、画像Ｂの画像信号とともに画像表示領域ｂの座標位置及び面積がスケーリング回路１−２に、画像Ｃの画像信号とともに画像表示領域ｃの座標位置及び面積がスケーリング回路１−３に、それぞれ与えられる。
【００１９】
スケーリング回路１−１〜１−ｎでは、それぞれに与えられる画像表示領域の座標位置及び面積より、画像信号の拡大率が設定される。そして、この設定した拡大率に基づいて、スケーリング回路１−１〜１−ｎに入力された画像信号にスケーリング処理が施される。よって、図２の場合、スケーリング回路１−１〜１−３のそれぞれにおいて、まず、画像表示領域ａ〜ｃの面積に基づいた拡大率が、スケーリング回路１−１〜１−３のそれぞれで設定される。そして、スケーリング回路１−１では、画像Ａの画像信号に対して画像表示領域ａの面積に基づいた拡大率で、スケーリング回路１−２では、画像Ｂの画像信号に対して画像表示領域ｂの面積に基づいた拡大率で、スケーリング回路１−３では、画像Ｃの画像信号に対して画像表示領域ｃの面積に基づいた拡大率で、それぞれ、スケーリング処理が施される。
【００２０】
このようにスケーリング回路１−１〜１−ｎのそれぞれでスケーリング処理が施された画像信号が、その拡大率とともに補正処理回路２−１〜２−ｎに送出される。この補正処理回路２−１〜２−ｎでは、主に、画像信号の高周波成分の強調又は低減するための鮮鋭化処理（エッジ強調処理）又は平滑化処理が施される。即ち、補正処理回路２−ｋ（ｋは、１≦ｋ≦ｎの自然数）に、スケーリング回路１−ｋで拡大された画像信号が与えられたとき、この画像信号によって再生表示される画像のエッジ強調を行うために高周波成分が強調されるエッジ強調処理が施される。このとき、補正処理回路２−ｋでは、与えられた画像信号を拡大する比率が高いほど、高周波成分が強調されるようにエッジ強調処理が施される。
【００２１】
逆に、スケーリング回路１−ｋで縮小された画像信号が与えられたとき、この画像信号によって再生表示される画像のガタツキを抑制するために高周波成分が低減される平滑化処理が施される。このとき、補正処理回路２−ｋでは、与えられた画像信号を縮小する比率が高いほど、高周波成分が低減されるように平滑化処理が施される。
【００２２】
よって、今、例えば、補正処理回路２−ｋが、画像信号にフィルタリングを施すことでエッジ強調処理又は平滑化処理を施しているとする。このとき、スケーリング回路１−ｋより与えられる拡大率に応じて高周波成分の量の調整を行ってエッジ強調処理又は平滑化処理を施すために、フィルタリングを施すためのフィルタの各フィルタリング係数を拡大率に応じて変更することで実現できる。又、フィルタリングを施すためのフィルタの種類を拡大率に応じて変更することによっても実現できる。更に、スケーリング回路１−ｋにおいて、画像信号が拡大されたとき、補正処理回路２−ｋにおいてエッジ強調処理を施す際、パターンマッチングを施すようにしても構わない。
【００２３】
今、図２において、画像表示領域ａ〜ｃの面積が、それぞれ、ａ＞ｂ＞ｃのような関係にあり、画像Ａの画像信号が拡大され、又、画像Ｂ，Ｃの画像信号が縮小されるものとする。このとき、画像Ｃの画像信号を縮小する比率の方が、画像Ｂの画像信号を縮小する比率より高い。よって、画像Ａの画像信号が、補正処理回路２−１において、高周波成分が強調されるようにエッジ強調処理が施される。又、画像Ｂ，Ｃの画像信号が、それぞれ、補正処理回路２−２，２−３において、高周波成分が低減されるように平滑化処理が施される。更に、このとき、画像Ｂの画像信号に比べて、画像Ｃの画像信号の方が高周波成分が低減されるように、平滑化処理が施される。
【００２４】
このように、補正処理回路２−１〜２−ｎで、拡大率に応じた補正処理が施されると、合成回路３に送出される。合成回路３では、補正処理回路２−１〜２−ｎのそれぞれから送出される画像信号が再生表示される画像表示領域の座標位置が与えられ、この座標位置に基づいて、各画像信号の合成を行い、１つの画像を表す画像信号として出力する。又、この合成回路３では、各画像表示領域が重なり合うとき、その重なり部分において最も上面に表示される画像が再生されるように、各画像信号の合成が行われる。
【００２５】
即ち、図２の場合、補正処理回路２−１〜２−３で補正処理された画像Ａ〜Ｃの画像信号と、画像Ａ〜Ｃのそれぞれが再生表示される画像表示領域ａ〜ｃの座標位置とが、合成回路３に与えられて、画像表示領域ａ〜ｃの座標位置にに基づいて、画像Ａ〜Ｃの画像信号が合成される。よって、合成回路３において、画像表示領域ａに画像Ａが、画像表示領域ｂに画像Ｂが、画像表示領域ｃに画像Ｃがそれぞれ再生表示されるような画像Ｄの画像信号が、合成回路３で生成されて出力される。
【００２６】
このようにすることで、各画像信号の拡大率に応じた補正処理を施すことができるため、拡大された画像は輪郭の強調された画像として、又、縮小された画像はガタツキの抑制された画像として、それぞれ再生することができる。
【００２７】
＜第２の実施形態＞
本発明の第２の実施形態について、図面を参照して説明する。図３は、本実施形態の画像信号処理装置の内部構成を示すブロック図である。尚、図３の画像信号処理装置において、図１の画像信号処理装置と同一の目的で使用する部分については同一の符号を付して、その詳細な説明は省略する。
【００２８】
図３に示す画像信号処理装置は、スケーリング回路１−１〜１−ｎと、スケーリング回路１−１〜１−ｎでスケーリングが施された画像信号を合成する合成回路３と、合成回路３で合成された画像信号に補正処理を施す補正処理回路２と、各画像信号が再生表示される画像表示領域が与えられて主要となる画像表示領域の検出を行う主要領域検出回路４と、主要領域検出回路４で検出された画像表示領域の拡大率を選択する選択回路５とを有する。
【００２９】
この画像信号処理装置は、第１の実施形態（図１）と同様、まず、スケーリング回路１−１〜１−ｎのそれぞれに、ｎ種類の画像信号が入力されるとともに、各画像信号の表示される画像表示領域に関するパラメータとなる座標位置及び面積が入力される。そして、スケーリング回路１−１〜１−ｎでは、それぞれに与えられる画像表示領域の座標位置及び面積より、画像信号の拡大率が設定され、各画像信号に対してそれぞれの拡大率に応じたスケーリング処理が施される。
【００３０】
即ち、図２のように、画像表示領域ａ〜ｃに画像Ａ〜Ｃが再生表示されるとき、まず、画像表示領域ａ〜ｃの大きさに基づいた拡大率が、スケーリング回路１−１〜１−３のそれぞれで設定される。そして、スケーリング回路１−１では、画像Ａの画像信号に対して画像表示領域ａの面積に基づいた拡大率で、スケーリング回路１−２では、画像Ｂの画像信号に対して画像表示領域ｂの面積に基づいた拡大率で、スケーリング回路１−３では、画像Ｃの画像信号に対して画像表示領域ｃの面積に基づいた拡大率で、それぞれ、スケーリング処理が施される。
【００３１】
このようにスケーリング回路１−１〜１−ｎのそれぞれでスケーリング処理が施された画像信号が、合成回路３に送出される。合成回路３では、各画像信号の画像表示領域の座標位置が与えられ、この座標位置に基づいて、各画像信号の合成を行い、１つの画像を表す画像信号して出力する。又、この合成回路３では、各画像表示領域が重なり合うとき、その重なり部分において最も上面に表示される画像が再生されるように、各画像信号の合成が行われる。即ち、合成回路３において、画像表示領域ａに画像Ａが、画像表示領域ｂに画像Ｂが、画像表示領域ｃに画像Ｃがそれぞれ再生表示されるような画像Ｄの画像信号が、合成回路３で生成されて出力される。
【００３２】
又、主要領域検出回路４では、各画像表示領域の面積が送出され、その面積が最大となる画像表示領域を検出し、主要な画像表示領域とする。そして、選択回路５において、スケーリング回路１−１〜１−ｎより送出される拡大率より、主要領域検出回路４で設定された主要な画像表示領域における拡大率を選択して、補正処理回路２に送出する。即ち、図２の場合、主要領域検出回路４において面積が最大となる画像表示領域Ａが主要な画像表示領域とされ、スケーリング回路１−１で設定された画像表示領域Ａの拡大率が選択回路５で選択されて、補正処理回路２に送出される。
【００３３】
補正処理回路２では、合成回路３で合成された１画面の画像信号に対して、選択回路５で選択された主要な画像表示領域の拡大率に応じた補正処理が行われる。この補正処理回路２は、第１の実施形態と同様、主に、画像信号の高周波成分の強調又は低減するためのエッジ強調処理又は平滑化処理が施される。即ち、主要な画像表示領域における画像信号がスケーリング回路１−ｋ（ｋは、１≦ｋ≦ｎの自然数）で拡大されたとき、補正処理回路２では高周波成分が強調されるエッジ強調処理が施される。このとき、補正処理回路２では、主要な画像表示領域における画像信号を拡大する比率が高いほど、高周波成分が強調されるようにエッジ強調処理が施される。逆に、主要な画像表示領域における画像信号がスケーリング回路１−ｋで縮小されたとき、補正処理回路２では高周波成分が低減される平滑化処理が施される。このとき、補正処理回路２では、主要な画像表示領域における画像信号を縮小する比率が高いほど、高周波成分が低減されるように平滑化処理が施される。
【００３４】
よって、今、例えば、補正処理回路２が、画像信号にフィルタリングを施すことでエッジ強調処理又は平滑化処理を施しているとする。このとき、選択回路５より与えられる拡大率に応じて高周波成分の量の調整を行ってエッジ強調処理又は平滑化処理を施すために、フィルタリングを施すためのフィルタの各フィルタリング係数を拡大率に応じて変更することで実現できる。又、フィルタリングを施すためのフィルタの種類を拡大率に応じて変更することによっても実現できる。更に、主要な画像表示領域の画像信号が拡大されたとき、補正処理回路２においてエッジ強調処理を施す際、パターンマッチングを施すようにしても構わない。
【００３５】
今、図２において、第１の実施形態と同様、画像表示領域ａ〜ｃの面積が、それぞれ、ａ＞ｂ＞ｃのような関係にあるものとする。このとき、画像Ａの画像信号が拡大された場合、合成回路３で合成された画像Ｄの画像信号が、補正処理回路２において、高周波成分が強調されるようにエッジ強調処理が施される。又、画像Ａの画像信号が縮小された場合、合成回路３で合成された画像Ｄの画像信号が、補正処理回路２において、高周波成分が低減されるように平滑化処理が施される。
【００３６】
このようにすることで、主要な画像信号の拡大率に応じた補正処理を施すことができるので、画像全体に比較的最適な補正処理が施すことができ、高精度な画像を再生することができる。又、補正処理回路を１つとすることができるので、第１の実施形態と比べて、画像信号処理装置の回路規模を小さくすることができる。
【００３７】
尚、本実施形態において、主要な画像表示領域を面積の最大となる画像表示領域としたが、その座標位置が画面の中央領域にあるものとしても構わないし、又、最も上面に描画されるものとしても構わない。
【００３８】
＜第３の実施形態＞
本発明の第３の実施形態について、図面を参照して説明する。図４は、本実施形態の画像信号処理装置の内部構成を示すブロック図である。尚、図４の画像信号処理装置において、図３の画像信号処理装置と同一の目的で使用する部分については同一の符号を付して、その詳細な説明は省略する。
【００３９】
図４に示す画像信号処理装置は、スケーリング回路１−１〜１−ｎと、スケーリング回路１−１〜１−ｎでスケーリングが施された画像信号を合成する合成回路３と、合成回路３で合成された画像信号に補正処理を施す補正処理回路２と、補正処理回路２で施される補正処理を画面上の領域毎に切り換える補正処理制御回路６とを有する。
【００４０】
この画像信号処理装置は、第２の実施形態（図３）と同様、まず、スケーリング回路１−１〜１−ｎのそれぞれに、ｎ種類の画像信号が入力されるとともに、各画像信号の表示される画像表示領域の座標位置及び面積が入力される。そして、それぞれに与えられる画像表示領域の座標位置及び面積より、画像信号の拡大率が設定され、各画像信号に対してそれぞれの拡大率に応じたスケーリング処理が施される。このスケーリング回路１−１〜１−ｎのそれぞれでスケーリング処理が施された画像信号が、合成回路３において、各画像信号とともに与えられる画像表示領域の座標位置に基づいて合成され、１つの画像を表す画像信号して出力される。又、この合成回路３では、各画像表示領域が重なり合うとき、その重なり部分において最も上面に表示される画像が再生されるように、各画像信号の合成が行われる。
【００４１】
即ち、図２のように、画像表示領域ａ〜ｃに画像Ａ〜Ｃが再生表示されるとき、まず、画像表示領域ａ〜ｃの大きさに基づいた拡大率が、スケーリング回路１−１〜１−３のそれぞれで設定される。そして、スケーリング回路１−１では、画像Ａの画像信号に対して画像表示領域ａの面積に基づいた拡大率で、スケーリング回路１−２では、画像Ｂの画像信号に対して画像表示領域ｂの面積に基づいた拡大率で、スケーリング回路１−３では、画像Ｃの画像信号に対して画像表示領域ｃの面積に基づいた拡大率で、それぞれ、スケーリング処理が施される。その後、合成回路３において、画像表示領域ａに画像Ａが、画像表示領域ｂに画像Ｂが、画像表示領域ｃに画像Ｃがそれぞれ再生表示されるような画像Ｄの画像信号が、合成回路３で生成されて出力される。
【００４２】
又、補正処理制御回路６では、各画像表示領域の座標位置とスケーリング回路１−１〜１−ｎで設定された拡大率とが送出されるとともに、各画像表示領域における拡大率に応じた補正処理が行われるように、補正処理回路２を制御する。よって、合成回路３から補正処理回路２に送出される画像信号において、現在補正処理される部分が、スケーリング回路１−ｋ（ｋは、１≦ｋ≦ｎの自然数）でスケーリングが施された画像信号の表示される画像表示領域における部分である場合、スケーリング回路１−ｋで設定された拡大率に応じた補正処理が行われる。
【００４３】
この補正処理回路２は、第２の実施形態と同様、主に、画像信号の高周波成分の強調又は低減するためのエッジ強調処理又は平滑化処理が施される。即ち、スケーリング回路１−ｋで画像信号が拡大されたとき、補正処理回路２では、スケーリング回路１−ｋでスケーリングが施された画像信号の画像表領域の部分が送出されると、高周波成分が強調されるエッジ強調処理を施す。このとき、補正処理回路２では、スケーリング回路１−ｋで画像信号を拡大する比率が高いほど、高周波成分が強調されるようにエッジ強調処理が施される。
【００４４】
逆に、スケーリング回路１−ｋで画像信号が縮小されたとき、補正処理回路２では、スケーリング回路１−ｋでスケーリングが施された画像信号の画像表領域の部分が送出されるとき、高周波成分が低減される平滑化処理が施される。このとき、補正処理回路２では、スケーリング回路１−ｋで画像信号を縮小する比率が高いほど、高周波成分が低減されるように平滑化処理が施される。
【００４５】
よって、今、例えば、補正処理回路２が、画像信号にフィルタリングを施すことでエッジ強調処理又は平滑化処理を施しているとする。このとき、スケーリング回路１−１〜１−ｎで設定された拡大率に応じて、各画像表示領域毎に高周波成分の量の調整を行ってエッジ強調処理又は平滑化処理を施すために、フィルタリングを施すためのフィルタの各フィルタリング係数を拡大率に応じて変更することで実現できる。又、フィルタリングを施すためのフィルタの種類を拡大率に応じて変更することによっても実現できる。更に、補正処理回路２においてエッジ強調処理を施す際、パターンマッチングを施すようにしても構わない。
【００４６】
今、図２において、第１の実施形態と同様、画像表示領域ａ〜ｃの面積が、それぞれ、ａ＞ｂ＞ｃのような関係にあり、画像Ａの画像信号が拡大され、又、画像Ｂ，Ｃの画像信号が縮小されるものとする。このとき、画像Ｃの画像信号を縮小する縮小する比率の方が、画像Ｂの画像信号を縮小する比率より高い。又、合成回路３で合成された画像Ｄの画像信号が、水平走査及び垂直走査されて１画面の画像を表示するための画像信号として、再生される画素毎にシリアルに出力されるものとする。
【００４７】
このとき、画像Ａの画像信号のみが合成されて得た画像信号におけるライン部分では、画像表示領域ａにおける画像信号が補正処理回路２に送出されると、高周波成分が強調されるようにエッジ強調処理が施される。又、画像Ａ，Ｂの画像信号が合成されて得た画像信号におけるライン部分では、まず、画像表示領域ａにおける画像信号が補正処理回路２に送出されると、高周波成分が強調されるようにエッジ強調処理が施され、次に、画像表示領域ｂにおける画像信号が補正処理回路２に送出されると、高周波成分が低減されるように平滑化処理が施される。
【００４８】
更に、画像Ｂ，Ｃの画像信号が合成されて得た画像信号におけるライン部分では、まず、画像表示領域ｂにおける画像信号が補正処理回路２に送出されると、高周波成分が低減されるように平滑化処理が施され、次に、画像表示領域ｃにおける画像信号が補正処理回路２に送出されると、高周波成分が低減されるように平滑化処理が施される。このとき、画像表示領域ｂの画像信号に比べて、画像表示領域ｃの画像信号の方が高周波成分が低減されるように、平滑化処理が施される。
【００４９】
このようにすることで、各画像表示領域毎に設定された拡大率に応じた補正処理を施すことができるため、拡大された画像は輪郭の強調された画像として、又、縮小された画像はガタツキの抑制された画像として、それぞれ再生することができる。又、補正処理回路を１つとすることができるので、第１の実施形態（図１）と比べて、画像信号処理装置の回路規模を小さくすることができる。
【００５０】
【発明の効果】
本発明によると、複数の画像が合成されて１画面の画像が構成されるとき、各画像を表す画像信号がスケーリングされたときの拡大率に応じた補正処理を、各画像信号毎に施すことができる。よって、拡大されて高周波成分が低減された画像信号の高周波成分を強調し、縮小されて高周波成分が強調された画像信号の高周波成分を低減するなどというように、各画像信号に最適な補正処理を施すことができ、このように補正処理された複数の画像信号を合成した画像信号を再生することで、高精細な画像を得ることができる。
【００５１】
又、複数の画像信号が合成された画像信号に対して、その主要となる画像信号がスケーリングされたときの拡大率に応じた補正処理を施すことができる。よって、画像全体を一度に補正処理を施す際、最適な補正処理を施すことができ、このように補正処理された画像信号を再生することで、高精細な画像を得ることができる。又、合成された画像信号に補正処理を施すため、装置全体の回路規模が大きくならない。
【００５２】
更に、複数の画像信号が合成された画像信号に対して、各画像表示領域毎に、その画像表示領域の画像信号がスケーリングされたときの拡大率に応じた補正処理を施すことができる。よって、各画像表示領域毎に、最適な補正処理を施すことができ、このように補正処理された画像信号を再生することで、高精細な画像を得ることができる。又、合成された画像信号に補正処理を施すため、装置全体の回路規模が大きくならない。
【図面の簡単な説明】
【図１】第１の実施形態の画像信号処理装置の内部構成を示すブロック図。
【図２】画像の表示例。
【図３】第２の実施形態の画像信号処理装置の内部構成を示すブロック図。
【図４】第３の実施形態の画像信号処理装置の内部構成を示すブロック図。
【符号の説明】
１−１〜１−ｎ    スケーリング回路
２，２−１〜２−ｎ    補正処理回路
３    合成回路
４    主要領域検出回路
５    選択回路
６    補正処理制御回路
【図１】
0004251766.tif 000002
【図２】
0004251766.tif 000003
【図３】
0004251766.tif 000004
【図４】
0004251766.tif 000005